(57)【要約】【課題】着信者の現在状態に適した着信処理を簡便に実現すること。【解決手段】着信方法選択要求部１３により、１つ以上の着信方法識別情報を着信側の電話端末に送信して着信側のユーザに選択させ、呼接続要求送信部１４により、着信側の電話端末で選択された着信方法識別情報の着信方法に基づきＩＮＶＩＴＥ信号を転送する。【選択図】図１
2015032863.tif 000002
【特許請求の範囲】
【請求項１】
コンピュータにより、
着信方法を識別する着信方法識別情報を着信方法識別情報記憶手段に記憶しておく着信方法識別情報記憶ステップと、
呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求ステップと、
前記着信側の電話端末で選択された着信方法識別情報の着信方法に基づき前記呼接続要求を転送する呼接続要求送信ステップと、
を有することを特徴とする着信方法選択方法。
【請求項２】
着信方法を識別する着信方法識別情報を記憶しておく着信方法識別情報記憶手段と、
呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求手段と、
前記着信側の電話端末で選択された着信方法識別情報の着信方法に基づき前記呼接続要求を転送する呼接続要求送信手段と、
を有することを特徴とする着信方法選択装置。
【請求項３】
コンピュータに、
着信方法を識別する着信方法識別情報を着信方法識別情報記憶手段に記憶しておく着信方法識別情報記憶処理と、
呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求処理と、
前記着信側の電話端末で選択された着信方法識別情報の着信方法に基づき前記呼接続要求を転送する呼接続要求送信処理と、
を実行させることを特徴とする着信方法選択プログラム。
【発明の詳細な説明】
【技術分野】
【０００１】
本発明は、ＩＰ電話システムにおける電話サービスの技術に関する。
【背景技術】
【０００２】
電話に応答できない場合に対応するサービスとして、留守番電話サービスや転送サービスがある。電車等への乗車前や会議の開始前にサービスの利用を予め設定することにより、以降の着信を設定済の転送先に転送することが可能となる。
【０００３】
また、着信者が現在応答可能か否かを把握させる手段として、チャットシステム等でのプレゼンス状態確認機能がある（非特許文献１，２）。退社前に在席状態をオフラインに変更することにより、ユーザの現在状態を相手に伝えることが可能となる。
【先行技術文献】
【非特許文献】
【０００４】
【非特許文献１】“A Presence Event Package for the Session Initiation Protocol (SIP)”、RFC3856、［online］、［平成25年7月24日検索］、＜URL: http://www.ietf.org/rfc/rfc3856.txt＞
【非特許文献２】“Session Initiation Protocol (SIP)-Specific Event Notification”、RFC3265、［online］、［平成25年7月24日検索］、＜URL: http://www.ietf.org/rfc/rfc3265.txt＞
【発明の概要】
【発明が解決しようとする課題】
【０００５】
しかしながら、いずれも事前に設定しておく必要があるため、リアルタイムで状態が変化する着信者の要望に応じた着信処理に対応できないという課題があった。前述の場合、サービスの利用を事前に設定しなければ留守番電話サービス等を利用できず、プレゼンスの状態を初期設定から変更しなければ相手に誤ったユーザ状態を伝えてしまう。
【０００６】
このような課題に対し、サービス利用の設定やプレゼンス状態の変更を着信者の状態が変わる度に随時行うことも考えられる。しかし、通勤時や会議中の場合には、電車の乗り換え時間やホームでの待ち時間、会議の隙間等の短時間で頻繁に設定や変更する必要があり、ユーザに対して設定上の手間に関し過度の負担を強いてしまい、現実的には困難である。
【０００７】
本発明は、上記事情を鑑みてなされたものであり、着信者の現在状態に適した着信処理を簡便に実現することを目的とする。
【課題を解決するための手段】
【０００８】
請求項１に記載の着信方法選択方法は、コンピュータにより、着信方法を識別する着信方法識別情報を着信方法識別情報記憶手段に記憶しておく着信方法識別情報記憶ステップと、呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求ステップと、前記着信側の電話端末で選択された着信方法識別情報の着信方法に基づき前記呼接続要求を転送する呼接続要求送信ステップと、を有することを要旨とする。
【０００９】
請求項２に記載の着信方法選択装置は、着信方法を識別する着信方法識別情報を記憶しておく着信方法識別情報記憶手段と、呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求手段と、前記着信側の電話端末で選択された着信方法識別情報の着信方法に基づき前記呼接続要求を転送する呼接続要求送信手段と、を有することを要旨とする。
【００１０】
請求項３に記載の着信方法選択プログラムは、コンピュータに、着信方法を識別する着信方法識別情報を着信方法識別情報記憶手段に記憶しておく着信方法識別情報記憶処理と、呼の接続を要求する呼接続要求を受信した場合、前記着信方法識別情報記憶手段から少なくとも１つ以上の着信方法識別情報を読み出して、着信側の電話端末に送信して着信側のユーザに選択させる着信方法選択要求処理と、前記着信側の電話端末で選択された着信方法識別情報の着信方法に基づき前記呼接続要求を転送する呼接続要求送信処理と、を実行させることを要旨とする。
【００１１】
以上より、本発明によれば、１つ以上の着信方法識別情報を着信側の電話端末に送信して着信側のユーザに選択させ、選択された着信方法識別情報の着信方法に基づき呼接続要求を転送するため、着信者の現在状態に適した着信処理を簡便に実現できる。
【発明の効果】
【００１２】
本発明によれば、着信者の現在状態に適した着信処理を簡便に実現できる。
【図面の簡単な説明】
【００１３】
【図１】着信方法選択装置の機能ブロック構成を示す図である。
【図２】着信方法選択装置での処理フローを示す図である。
【図３】着信方法選択画面の例を示す図である。
【図４】留守番電話サービスが選択された場合のシーケンス図である。
【図５】転送サービスが選択された場合のシーケンス図である。
【図６】メールサービスが選択された場合のシーケンス図である。
【図７】ガイダンスサービスが選択された場合のシーケンス図である。
【図８】着信方法が未選択である場合のシーケンス図である。
【発明を実施するための形態】
【００１４】
本発明は、事前に設定等が必要なサービス利用やプレゼンス状態を用いることなく、着信時に着信側のユーザに対して着信方法を選択させることにより、着信者の現在状態に適した着信処理を簡便に実現するようにしている。
【００１５】
以下、本発明を実施する一実施の形態について図面を用いて説明する。
【００１６】
図１は、本実施の形態に係る着信方法選択装置１の機能ブロック構成を示す図である。この着信方法選択装置１は、既存のＳＩＰサーバ上で動作する装置であり、呼接続要求受信部１１と、契約有無判定部１２と、着信方法選択要求部１３と、呼接続要求送信部１４と、契約情報ＤＢ１５と、着信方法識別情報ＤＢ１６とを備えて構成される。以下、各部について説明する。
【００１７】
呼接続要求受信部１１は、発信側の電話端末から送信された、呼の接続を要求する呼接続要求（以下、ＩＮＶＩＴＥ信号）を受信する機能部である。
【００１８】
契約有無判定部１２は、ＩＮＶＩＴＥ信号に含まれる着信側の電話端末の電話番号を契約情報ＤＢ１５から検索し、その検索結果に基づいて本着信方法選択サービスの契約電話端末であるか否かを判定する機能部である。
【００１９】
着信方法選択要求部１３は、ＩＮＶＩＴＥ信号を受信した時に、少なくとも１つ以上の着信方法識別情報を着信方法識別情報ＤＢ１６から読み出して、着信側の電話端末に送信して着信側のユーザに選択させる機能部である。
【００２０】
呼接続要求送信部１４は、着信側の電話端末で選択された着信方法識別情報の着信方法に基づき受信中のＩＮＶＩＴＥ信号を転送する機能部である。この機能を呼接続要求受信部１１に含めて１つの呼処理部として実現してもよい。
【００２１】
契約情報ＤＢ１５は、着信方法選択装置１で提供する本着信方法選択サービスを契約している電話端末の電話番号を記憶しておく記憶部である。
【００２２】
着信方法識別情報ＤＢ１６は、着信方法を識別する着信方法識別情報を記憶しておく機能部である。着信方法識別情報とは、例えば、「留守番電話」、「留守番電話サービス」、「留守番電話サービスへの接続」等であり、着信先を識別する名称以外に、着信先で提供されているサービス名や着信先への接続表現を含む情報等である。
【００２３】
続いて、着信方法選択装置１で行う着信方法選択方法について説明する。図２は、着信方法選択方法の処理フローを示す図である。
【００２４】
まず、呼接続要求受信部１１により、発信側の電話端末からＩＰ電話網を介してＳＩＰサーバに送信されたＩＮＶＩＴＥ信号が受信される（ステップＳ１０１）。
【００２５】
次に、契約有無判定部１２により、受信したＩＮＶＩＴＥ信号内で指定された着信側の電話端末の電話番号が契約情報ＤＢ１５に記憶されているか否かが検索され、記憶されている場合、その着信側の電話端末は本着信方法選択サービスの契約電話端末と決定され、記憶されていない場合、未契約電話端末と決定される（ステップＳ１０２）。
【００２６】
次に、着信側の電話端末が契約電話端末の場合、着信方法選択要求部１３により、例えば、「留守番電話」、「転送」、「メール」、「ガイダンス」といった４つの着信方法の識別情報が着信方法識別情報ＤＢ１６から取得され、ＩＮＶＩＴＥ信号を用いて着信側の電話端末に送信される（ステップＳ１０３）。
【００２７】
このとき、着信側の電話端末では、図３に示すような着信方法選択画面が表示される。（１）留守番電話サービス、（２）転送サービス、（３）メールサービス、（４）ガイダンスサービス、のうちいずれかの着信方法を画面上で選択可能となる。そして、着信側のユーザにより任意の着信方法が選択されると、その着信方法での着信処理情報が設定されたＮＯＴＩＦＹ信号が返信される。
【００２８】
なお、着信処理情報とは、留守番電話サービスを示す“ａｂｓｅｎｓｅ”、転送サービスを示す“ｍｏｖｅ”、メールサービスを示す“ｍａｉｌ”、ガイダンスサービスを示す“ｇｕｉｄａｎｃｅ”である。
【００２９】
また、（２）の選択方法が選択された場合には、転送先の電話番号を指定するための入力画面に遷移し、入力された電話番号は“ｍｏｖｅ”の着信処理情報と共にＮＯＴＩＦＹ信号内に設定される。
【００３０】
次に、着信方法選択要求部１３により、着信側の電話端末から返信されたＮＯＴＩＦＹ信号が受信され、そのＮＯＴＩＦＹ信号内に設定された着信処理情報が前述の（１）〜（４）に該当するか、又は、ＮＯＴＩＦＹ信号を応答時間内に受信しないかが判定される（ステップＳ１０４）。
【００３１】
最後に、着信処理情報が（１）〜（４）に該当する場合、呼接続要求送信部１４により、その着信処理情報を処理するサーバ又は指定された転送先の電話番号に対して、ステップＳ１０１で受信したＩＮＶＩＴＥ信号が転送される（ステップＳ１０５）。
【００３２】
すなわち、（１）が選択された場合（ＮＯＴＩＦＹ信号に“ａｂｓｅｎｓｅ”が設定されている場合）、留守番電話サービスを提供するサーバに接続され、呼接続が確立された後に発信側のユーザの音声が録音される。このときの処理シーケンスを図４に示す。
【００３３】
同様に、（２）が選択された場合（“ｍｏｖｅ”が設定された場合）、指定入力された電話番号の電話端末等に転送される。また、（３）が選択された場合（“ｍａｉｌ”が設定された場合）、音声認識用のメールサーバに接続され、発信側のユーザの音声がテキスト化される。また、（４）が選択された場合（“ｇｕｉｄａｎｃｅ”が設定された場合）、ガイダンスサーバに接続される。これらの場合の夫々の処理シーケンスを図５〜図７に示す。なお、図５の“ｍｏｖｅ”の後に付された「ＸＸＸ」は、指定入力された電話番号を意味する。
【００３４】
なお、ステップＳ１０２で着信側の電話端末が未契約電話端末の場合、又は、ステップＳ１０４でＮＯＴＩＦＹ信号を一定の応答時間内に受信しない場合には、通常通り着信処理が実行される（ステップＳ１０６）。これらの場合の夫々の処理シーケンスを図８の（ａ），（ｂ）に示す。
【００３５】
以上より、本実施の形態によれば、１つ以上の着信方法識別情報を着信側の電話端末に送信して着信側のユーザに選択させ、選択された着信方法識別情報の着信方法に基づきＩＮＶＩＴＥ信号を転送するので、着信者の現在状態に適した着信処理を簡便に実現でき、着信者の要求する着信処理をリアルタイムに反映できる。
【００３６】
最後に、本実施の形態で説明した着信方法選択装置１は、メモリやＣＰＵを備えたコンピュータにより実現できる。また、本着信方法選択装置１の各動作をプログラムとして構築し、コンピュータにインストールして実行させることや、通信ネットワークを介して流通させることも可能である。
【符号の説明】
【００３７】
１…着信方法選択装置
１１…呼接続要求受信部
１２…契約有無判定部
１３…着信方法選択要求部（着信方法選択要求手段）
１４…呼接続要求送信部（呼接続要求送信手段）
１５…契約情報ＤＢ
１６…着信方法識別情報ＤＢ（着信先識別情報記憶手段）
Ｓ１０１〜Ｓ１０６…ステップ
【図１】
2015032863.tif 000003
【図２】
2015032863.tif 000004
【図３】
2015032863.tif 000005
【図４】
2015032863.tif 000006
【図５】
2015032863.tif 000007
【図６】
2015032863.tif 000008
【図７】
2015032863.tif 000009
【図８】
2015032863.tif 000010